(57)【要約】      （修正有）【課題】外観品質及び排水能力の双方を向上させることができる排水栓装置を提供する。【解決手段】排水栓装置１は、支持軸６、配管２及び排水口部材３を備える。配管２は、排水用の本体管２１と、第一孔部２３Ａが形成された第一環状部２３と、本体管２１の内周面から本体管２１の径方向に沿って延び、第一環状部２３に固定された第一リブ部２４とを有する。排水口部材３は、筒状部３１と、第二孔部３２Ａが形成された第二環状部３２と、筒状部３１の内周面から筒状部３１の径方向に沿って延び、第二環状部３２に固定された第二リブ部３３とを有する。前記両孔部２３Ａ，３２Ａに対し、筒状の取付部材４が挿入固定されることで配管２に排水口部材３が取付けられ、取付部材４の内周に支持軸６が挿通される。第一リブ部２４の鉛直上方に第二リブ部３３が配置され、上方から見て、第二リブ部３３によって第一リブ部２４の全体が隠れるように構成される。【選択図】図１
2016108865.tif 000002
【特許請求の範囲】
【請求項１】
槽体の排水口を開閉するための栓蓋と、
前記栓蓋を支持する支持軸と、
前記排水口を通る排水の流路を構成する配管と、
外周側に突出する鍔部を有し、当該鍔部及び前記配管の間で前記槽体を挟み込んだ状態で前記配管に取付けられることにより、前記槽体に前記配管を接続する排水口部材とを備えた排水栓装置であって、
前記配管は、
筒状をなす排水用の本体管と、
前記支持軸の軸方向に延びる第一孔部が形成されるとともに、前記本体管の内周側に位置する第一環状部と、
前記本体管の内周面から前記本体管の径方向に沿って延び、前記第一環状部に固定された第一リブ部とを有し、
前記排水口部材は、
自身の上端部から前記鍔部が突出形成された筒状部と、
前記第一孔部と同軸の第二孔部が形成されるとともに、前記筒状部の内周側に位置する第二環状部と、
前記筒状部の内周面から前記筒状部の径方向に沿って延び、前記第二環状部に固定された第二リブ部とを有し、
前記第一孔部及び前記第二孔部に対し、筒状の取付部材が挿入固定されることで、前記配管に前記排水口部材が取付けられるとともに、
前記取付部材の内周に前記支持軸が挿通され、
前記第一リブ部の鉛直上方に前記第二リブ部が配置され、上方から見て、前記第二リブ部によって前記第一リブ部の全体が隠れるように構成されることを特徴とする排水栓装置。
【請求項２】
前記本体管内に突出するとともに、前記本体管の径方向に沿って延び、自身の上下動により前記支持軸を上下動させる軸動作部を備え、
前記軸動作部の鉛直上方に前記第一リブ部及び前記第二リブ部の少なくとも一方が配置され、上方から見て、前記第一リブ部及び前記第二リブ部の少なくとも一方によって前記軸動作部のうち少なくとも前記第一環状部及び前記本体管の間に位置する部位の全体が隠れることを特徴とする請求項１に記載の排水栓装置。
【請求項３】
前記第一環状部の鉛直上方に前記第二環状部が配置され、上方から見て、前記第二環状部、前記第二リブ部及び前記取付部材によって、前記第一環状部及び前記第一リブ部の全体が隠れるように構成されることを特徴とする請求項１又は２に記載の排水栓装置。
【請求項４】
前記第一リブ部は、上方に突出する上向き突起部を有し、
前記第二リブ部は、下方に開口する下向き凹部を有し、
前記下向き凹部に対し前記上向き突起部が配置されることを特徴とする請求項１乃至３のいずれか１項に記載の排水栓装置。
【請求項５】
前記第一リブ部は、上方に開口する上向き凹部を有し、
前記第二リブ部は、下方に向けて突出する下向き突起部を有し、
前記上向き凹部に対し前記下向き突起部が配置されることを特徴とする請求項１乃至３のいずれか１項に記載の排水栓装置。
【請求項６】
前記第一リブ部は、上方に開口する上向き凹部を有し、
前記第二リブ部は、下方に開口する下向き凹部を有し、
前記上向き凹部及び前記下向き凹部に配置され、前記第一リブ部と前記第二リブ部との間に介在する介在部を備えることを特徴とする請求項１乃至３のいずれか１項に記載の排水栓装置。
【発明の詳細な説明】
【技術分野】
【０００１】
本発明は、槽体の排水口に設けられる排水栓装置に関する。
【背景技術】
【０００２】
従来、排水栓装置としては、槽体（例えば、浴槽や洗面ボール等）の排水口を開閉するための栓蓋と、当該栓蓋を上下動可能に支持する支持軸とを備えたものが知られている。また、排水の流路となる配管を槽体（排水口）に接続するために、外周に雄ねじ部を有する筒状（環状）の排水口部材を用いることがある。排水口部材は、槽体（排水口）の裏側に配管（例えば、エルボやリング状の管体）を配置した上で、槽体の表側から自身の雄ねじ部を配管の内周に形成された雌ねじ部に螺合し、自身と配管との間で槽体を挟み込むことにより、槽体に配管を接続する（例えば、特許文献１等参照）。
【０００３】
また、槽体に配管を接続する手法としては、配管と排水口部材とによって槽体を挟み込んだ状態で、配管及び排水口部材を筒状の雄ねじ部材によって固定する手法が考えられる。詳述すると、配管に対し、配管の内周面から配管の中心側に突出するとともに、配管の周方向に沿って間隔を隔てて設けられた複数の第一リブ部と、配管の中心部分に位置するとともに、内周面に雌ねじ部を有し、前記第一リブ部によって支持される第一環状部とを設ける。また、排水口部材に対し、排水口部材の内周面から排水口部材の中心側に突出するとともに、排水口部材の周方向に沿って間隔を隔てて設けられた複数の第二リブ部と、前記第一環状部と同軸に配置されるとともに、前記第二リブ部によって支持される第二環状部とを設ける。そして、配管と排水口部材とによって槽体を挟み込んだ上で、前記雄ねじ部材を第二環状部に挿通しつつ前記第一環状部に螺合することにより、配管及び排水口部材が固定されるとともに、槽体に対し配管が接続される。尚、支持軸は、雄ねじ部材の内周に挿通されることとなる。また、排水は、第一リブ部同士の間に形成された隙間と、第二リブ部同士の間に形成された隙間とを通過して流れ落ちることとなる。
【先行技術文献】
【特許文献】
【０００４】
【特許文献１】特開平９−６００７３号公報
【発明の概要】
【発明が解決しようとする課題】
【０００５】
ところで、排水栓装置においては、外観品質及び排水能力の向上が求められており、上記手法によって設けられた排水栓装置においても、同様に、外観品質や排水能力を向上させることが望まれる。
【０００６】
本発明は、上記事情に鑑みてなされたものであり、外観品質及び排水能力の双方を向上させることができる排水栓装置を提供することにある。
【課題を解決するための手段】
【０００７】
以下、上記目的を解決するのに適した各手段につき、項分けして説明する。なお、必要に応じて対応する手段に特有の作用効果を付記する。
【０００８】
手段１．槽体の排水口を開閉するための栓蓋と、
前記栓蓋を支持する支持軸と、
前記排水口を通る排水の流路を構成する配管と、
外周側に突出する鍔部を有し、当該鍔部及び前記配管の間で前記槽体を挟み込んだ状態で前記配管に取付けられることにより、前記槽体に前記配管を接続する排水口部材とを備えた排水栓装置であって、
前記配管は、
筒状をなす排水用の本体管と、
前記支持軸の軸方向に延びる第一孔部が形成されるとともに、前記本体管の内周側に位置する第一環状部と、
前記本体管の内周面から前記本体管の径方向に沿って延び、前記第一環状部に固定された第一リブ部とを有し、
前記排水口部材は、
自身の上端部から前記鍔部が突出形成された筒状部と、
前記第一孔部と同軸の第二孔部が形成されるとともに、前記筒状部の内周側に位置する第二環状部と、
前記筒状部の内周面から前記筒状部の径方向に沿って延び、前記第二環状部に固定された第二リブ部とを有し、
前記第一孔部及び前記第二孔部に対し、筒状の取付部材が挿入固定されることで、前記配管に前記排水口部材が取付けられるとともに、
前記取付部材の内周に前記支持軸が挿通され、
前記第一リブ部の鉛直上方に前記第二リブ部が配置され、上方から見て、前記第二リブ部によって前記第一リブ部の全体が隠れるように構成されることを特徴とする排水栓装置。
【０００９】
上記手段１によれば、第一リブ部の鉛直上方に第二リブ部が配置されるため、排水口部材における通水部分と、配管における通水部分とが鉛直方向に並んで配置される。従って、円滑な排水が行われることとなり、良好な排水能力を得ることができる。
【００１０】
また、上方から見たときに、第二リブ部によって第一リブ部の全体が隠れることとなり、槽体の貯水空間側から第一リブ部が視認困難又は視認不能となる。そのため、非常にすっきりとした外観となり、優れた外観品質を実現することができる。
【００１１】
加えて、第二リブ部の存在により、第一リブ部に対する汚れの付着が生じにくくなる。従って、衛生性を高めることができるとともに、清掃性の向上や清掃頻度の低減を図ることができる。
【００１２】
手段２．前記本体管内に突出するとともに、前記本体管の径方向に沿って延び、自身の上下動により前記支持軸を上下動させる軸動作部を備え、
前記軸動作部の鉛直上方に前記第一リブ部及び前記第二リブ部の少なくとも一方が配置され、上方から見て、前記第一リブ部及び前記第二リブ部の少なくとも一方によって前記軸動作部のうち少なくとも前記第一環状部及び前記本体管の間に位置する部位の全体が隠れることを特徴とする手段１に記載の排水栓装置。
【００１３】
上記手段２によれば、軸動作部の鉛直上方に第一リブ部及び第二リブ部の少なくとも一方が配置され、軸動作部のうち第一環状部及び本体管の間に位置する部位の全体が第一リブ部及び第二リブ部の少なくとも一方によって隠れる。そのため、軸動作部による通水面積の減少を効果的に抑制することができる。その結果、良好な排水能力をより確実に確保することができる。
【００１４】
また、上記手段２によれば、よりすっきりとした外観となり、外観品質を一層向上させることができる。さらに、軸動作部に対する汚れの付着が生じにくくなり、衛生性等をより高めることができる。
【００１５】
手段３．前記第一環状部の鉛直上方に前記第二環状部が配置され、上方から見て、前記第二環状部、前記第二リブ部及び前記取付部材によって、前記第一環状部及び前記第一リブ部の全体が隠れるように構成されることを特徴とする手段１又は２に記載の排水栓装置。
【００１６】
上記手段３によれば、槽体の貯水空間側から見て、第一環状部及び第一リブ部が視認困難又は視認不能となる。従って、外観品質の更なる向上を図ることができる。
【００１７】
手段４．前記第一リブ部は、上方に突出する上向き突起部を有し、
前記第二リブ部は、下方に開口する下向き凹部を有し、
前記下向き凹部に対し前記上向き突起部が配置されることを特徴とする手段１乃至３のいずれかに記載の排水栓装置。
【００１８】
上記手段４によれば、第二リブ部の鉛直上方に第一リブ部をより確実に、かつ、より容易に配置することができる。また、配管に対し排水口部材が相対回転してしまうことを防止でき、第二リブ部の鉛直上方からずれた位置に第一リブ部が配置されてしまうことをより確実に防止できる。従って、良好な排水能力や外観品質等をより長期間に亘ってより確実に維持することができる。
【００１９】
手段５．前記第一リブ部は、上方に開口する上向き凹部を有し、
前記第二リブ部は、下方に向けて突出する下向き突起部を有し、
前記上向き凹部に対し前記下向き突起部が配置されることを特徴とする手段１乃至３のいずれかに記載の排水栓装置。
【００２０】
上記手段５によれば、上記手段４と同様の作用効果が奏されることとなる。
【００２１】
手段６．前記第一リブ部は、上方に開口する上向き凹部を有し、
前記第二リブ部は、下方に開口する下向き凹部を有し、
前記上向き凹部及び前記下向き凹部に配置され、前記第一リブ部と前記第二リブ部との間に介在する介在部を備えることを特徴とする手段１乃至３のいずれかに記載の排水栓装置。
【００２２】
上記手段６によれば、基本的には上記手段４，５と同様の作用効果が奏されることとなる。
【００２３】
また、上記手段６によれば、槽体の厚さが種々異なる場合であっても、介在部の鉛直方向に沿った長さを調節しさえすれば、介在部を上向き凹部及び下向き凹部に配置することができ、配管に対し排水口部材を相対回転不能とすることができる。従って、厚さの異なる種々の槽体に対応するために、複数種類の排水口部材や配管を用意するといった必要はなくなり、コストの抑制を図ることができる。
【図面の簡単な説明】
【００２４】
【図１】排水口が閉鎖された状態における排水栓装置の構成を示す断面図である。
【図２】排水口部材及び配管の斜視図である。
【図３】配管等の平面図である。
【図４】排水口部材の裏面部分の構成を示す斜視図である。
【図５】排水口部材等を上方から見たときの状態を示す平面図である。
【図６】排水口部材の裏面部分の構成を示す底面図である。
【図７】排水口が開放された状態における排水栓装置の構成を示す断面図である。
【図８】（ａ）は、別の実施形態における配管等の平面図であり、（ｂ）は、別の実施形態における排水口部材の裏面部分の構成を示す底面図である。
【図９】（ａ）は、別の実施形態における配管及び介在部等を示す平面図であり、（ｂ）は、別の実施形態における排水口部材の裏面部分の構成を示す底面図である。
【発明を実施するための形態】
【００２５】
以下に、一実施形態について図面を参照しつつ説明する。図１に示すように、排水栓装置１は、槽体としての浴槽１００に形成された排水口１０１に設けられており、配管２と、排水口部材３と、取付部材４と、栓蓋側機構部５と、支持軸６と、栓蓋７とを備えている。
【００２６】
配管２は、浴槽１００の背面側に設けられており、図２及び図３に示すように、本体管２１、第一環状部２３及び第一リブ部２４を備えている。
【００２７】
本体管２１は、鉛直方向に延びる円筒状をなし、その内部空間が、浴槽１００に貯留された水等を排出するための排水流路となっている。また、本体管２１には、外側に膨出形成された膨出部２１Ａが設けられている（図１参照）。膨出部２１Ａの内部空間は、水平方向に延びる略円柱状をなしている。
【００２８】
第一環状部２３は、本体管２１の内周面と間隔を空けた状態で本体管２１の内周側（本実施形態では、本体管２１の中心部）に位置している。また、第一環状部２３の中心部分には、本体管２１と同軸に形成され、鉛直方向に貫通する第一孔部２３Ａが形成されている。さらに、第一環状部２３の内周面（第一孔部２３Ａを形成する面）には、雌ねじ部２３Ｂが形成されている（図１参照）。
【００２９】
第一リブ部２４は、本体管２１の内周面から本体管２１の径方向に沿って延び、第一環状部２３の外周に固定されている。第一リブ部２４によって、第一環状部２３は、本体管２１内で保持された状態となっている。また、第一リブ部２４は、周方向に沿って等間隔に複数（本実施形態では、３つ）設けられており、上方から見て、各第一リブ部２４は、その長手方向と直交する方向に沿って略一定の幅を有するように構成されている。
【００３０】
さらに、各第一リブ部２４の表面側（浴槽１００の貯水空間を向く側）には、上向きに突出する上向き突起部２４Ａが形成されている。上向き突起部２４Ａは、本体管２１の径方向及び鉛直方向に沿って延びる板状をなしている。また、第一孔部２３Ａと排水口部材３の後述する第二孔部３２Ａとが同軸となるように配管２及び排水口部材３を配置した状態において、上向き突起部２４Ａの内側部分（第一孔部２３Ａ側に位置する部分）は、前記両孔部２３Ａ，３２Ａの軸方向に沿って排水口部材３の後述する第二環状部３２と重なる位置に設けられている。
【００３１】
排水口部材３は、環状に形成されており、自身の中心軸が前記排水口１０１の中心軸とほぼ一致するようにして排水口１０１に挿設されている。排水口部材３は、図２及び図４に示すように、筒状部３１、第二環状部３２及び第二リブ部３３を備えている。
【００３２】
筒状部３１は、円筒状をなしており、その内部空間は、浴槽１００に貯留された水等を排出するための排水流路を構成している。また、筒状部３１は、その上端部に径方向外側に突出する鍔部３１Ａを有している。
【００３３】
第二環状部３２は、筒状部３１の内周面と間隔を空けた状態で筒状部３１の内周側（本実施形態では、筒状部２１の中心部）に位置している。また、第二環状部３２の中心部分には、筒状部３１と同軸に形成され、鉛直方向に貫通する第二孔部３２Ａが形成されている。第二孔部３２Ａは、前記第一孔部２３Ａと同軸に設けられている。さらに、第二環状部３２のうち、第二孔部３２Ａを形成する部位の下方側には、内周側に突出する環状の被係止部３２Ｂが形成されている。加えて、第二環状部３２は、その下端面が第二リブ部３３の下面よりも下方に突出するようになっている。
【００３４】
第二リブ部３３は、筒状部３１の内周面から筒状部３１の径方向に沿って延び、第二環状部３２の外周に固定されている。第二リブ部３３によって、第二環状部３２は、筒状部３１内で保持された状態となっている。また、第二リブ部３３は、周方向に沿って等間隔に、第一リブ部２４と同数（本実施形態では、３つ）設けられている。
【００３５】
加えて、図５に示すように、上方から見て、第二リブ部３３は、その長手方向と直交する方向の幅が略一定であり、本実施形態では、その幅が第一リブ部２４の幅よりも大きなものとされている。
【００３６】
また、各第二リブ部３３の表面（浴槽１００の貯水空間側に位置する面）は、突起等が存在せず、滑らかに湾曲する滑面状をなす一方で、図４及び図６に示すように、各第二リブ部３３の裏面には、下方に開口する下向き凹部３３Ａが形成されている。下向き凹部３３Ａは、その開口部が筒状部３１の径方向に沿って延びている。そして、下向き凹部３３Ａは、前記上向き突起部２４Ａを挿通可能な形状とされている。尚、本実施形態において、下向き凹部３３Ａは、第二環状部３２をその径方向に貫通し、第二孔部３２Ａへと到達している。
【００３７】
図１に戻り、取付部材４は、配管２に排水口部材３を取付けることで、配管２を浴槽１００に接続するためのものであり、鉛直方向に延びる貫通孔４Ａを有する筒状をなしている。本実施形態において、取付部材４のうち貫通孔４Ａを形成する面の最上方部は、取付部材４の長手方向と直交する断面において多角形状（例えば、六角形状）をなしており、六角レンチなどの工具を係合できるようになっている。
【００３８】
また、取付部材４は、上端部を構成する頭部４１と、当該頭部４１の裏側中央部分から下方に延びる軸部４２とを備えている。頭部４１は、円筒状をなし、その外径が軸部４２の外径よりも大きなものとされている。軸部４２は、その外周に、前記雌ねじ部２３Ｂへと螺合可能な雄ねじ部４２Ａを備えている。
【００３９】
取付部材４により、配管２に対し排水口部材３を取付けるにあたっては、まず、本体管２１が排水口１０１と同軸となるように配管２を浴槽１００の裏側に配置するとともに、排水口１０１に対し排水口部材３を挿入する。このとき、上向き突起部２４Ａの上面に対し第二環状部３２の下端面が載置された状態となり得るが、この場合には、第二環状部３２の下端面が上向き突起部２４Ａの上面から外れるまで排水口部材３を回転させる。これにより、各下向き凹部３３Ａに対しそれぞれ上向き突起部２４Ａが配置され、ひいては各第一リブ部２４の鉛直上方に第二リブ部３３が位置するとともに、配管２に対し排水口部材３が相対回転不能となる。その上で、同軸に配置された第１孔部２３Ａ及び第二孔部３２Ａに対し、これらの上方から取付部材４を挿入し、頭部４１が被係止部３２Ｂに載置（係止）されるまで、工具等により、軸部４２の雄ねじ部４２Ａを雌ねじ部２３Ｂへと螺合する。これにより、鍔部３１Ａと配管２の上端面との間で浴槽１００を挟み込んだ状態で、配管２に対し排水口部材３が取付けられ、ひいては浴槽１００に対し配管２が接続されることとなる。
【００４０】
尚、浴槽１００の背面と配管２の上端部との間には、これらに挟み込まれた状態で、弾性変形可能な材料（例えば、樹脂やゴム等）により形成された環状のシール部材８が設けられている。また、浴槽１００の表面と鍔部３１Ａとの間には、これらに挟み込まれた状態で、弾性変形可能な材料からなる環状のシール部材９が設けられている。シール部材８，９によって、配管２及び排水口部材３から外部への漏水防止が図られている。
【００４１】
さらに、取付部材４は、上面が滑らかな滑面状の環状をなし、頭部４１に対し取付・取外可能なカバー部材４３を備えている。配管２に対する排水口部材３の取付後に、カバー部材４３は、第二孔部３２Ａの最上部に挿通されつつ、頭部４１の外周部分に対し係合される。これにより、頭部４１が視認不能となり、外観品質等の向上が図られるようになっている。
【００４２】
栓蓋側機構部５は、所定の図示しない操作部材（例えば、往復移動可能な操作ボタンや回動可能な操作ハンドルなど）における変位を伝達するための図示しない伝達部材（例えば、ワイヤー等）と接続されている。また、栓蓋側機構部５は、本体管２１内に突出するとともに、本体管２１の径方向に沿って延びる板棒状の軸動作部５１を備えている。
【００４３】
軸動作部５１は、その長手方向と直交する方向に沿った幅が、その長手方向全域において前記第二リブ部３３の幅よりも小さなものとされている。また、軸動作部５１は、自身の基端部が前記膨出部２１Ａ内において回動可能に軸支されており、軸動作部５１の回動軸は、水平方向に延びるように設定されている。さらに、軸動作部５１は、自身の先端部が、第一環状部２３よりも下方において、少なくとも第一孔部２３Ａの中心を越える位置まで延びている。加えて、軸動作部５１には、前記伝達部材を介して前記操作部材の変位が伝達されるようになっている。そして、前記操作部材の変位が伝達されることで、軸動作部５１は、自身の基端部を回動軸として回動し、ひいては自身の先端部が上下動するようになっている。
【００４４】
支持軸６は、丸棒状をなし、取付部材４の貫通孔４Ａに対し上下動可能な状態で挿通されている。また、支持軸６の下端部は、軸動作部５１が上動したときに、軸動作部５１と接触するように構成されている。そして、支持軸６は、上動する軸動作部５１に持ち上げられることで上動し、軸動作部５１の下動に伴い落下することで下動する。
【００４５】
栓蓋７は、表面がなだらかに湾曲する形状をなす傘部７１と、当該傘部７１の背面外周側に設けられた弾性変形可能な素材（例えば、樹脂やゴム等）からなる環状のパッキン部７２とを備えている。栓蓋７は、傘部７１の背面中心部において支持軸６の上端部へと固定されており、支持軸６に支持された状態となっている。
【００４６】
また、栓蓋７は、軸動作部５１の上下動に伴い、支持軸６とともに上下動する。支持軸６が下動し、栓蓋７が下動したときには、パッキン部７２の外周部分の全周が排水口部材３に接触し、排水口１０１が閉鎖されることとなる（図１参照）。尚、排水口１０１の閉鎖時に、支持軸６の下端部から軸動作部５１が離間した状態となるため、栓蓋７や支持軸６の自重によって、パッキン部７２を排水口部材３へとより確実に圧接させることができ、より良好な水密性を確保することができる。一方で、支持軸６が上動し、栓蓋７が上動したときには、図７に示すように、パッキン部７２の外周部分が排水口部材３から離間し、排水口１０１が開放されることとなる。
【００４７】
尚、本実施形態では、栓蓋７を上方へと引上げることで、貫通孔４Ａから支持軸６を抜き取り、栓蓋７及び支持軸６を容易に取外すことができる。栓蓋７及び支持軸６を取外すことで、清掃等を容易に行うことができるようになっている。
【００４８】
次いで、上方から見た（平面視した）ときにおける、第一環状部２３、第二環状部３２、第一リブ部２４、第二リブ部３３及び軸動作部５１の位置関係について説明する。
【００４９】
本実施形態では、各第一リブ部２４の鉛直上方に第二リブ部３３が配置されている。その上で、上述の通り、第二リブ部３３の幅は第一リブ部２４の幅よりも大きなものとされている。そのため、図５に示すように、上方から見て、第二リブ部３３によって第一リブ部２４の全体が隠れるようになっている。つまり、鉛直方向と直交する平面に対し、鉛直方向に沿って第一リブ部２４及び第二リブ部３３を投影したとき、第二リブ部３３の投影領域内に、第一リブ部２４の投影領域が全て収まることとなっている。
【００５０】
さらに、本実施形態では、軸動作部５１の鉛直上方に第一リブ部２４及び第二リブ部３３の少なくとも一方（本実施形態では、双方）が配置されている。そして、上述の通り、軸動作部５１の幅は第二リブ部３３の幅よりも小さなものとされているため、上方から見て（平面視したときに）、第一リブ部２４及び第二リブ部３３の少なくとも一方（本実施形態では、双方）によって軸動作部５１のうち少なくとも第一環状部２３及び本体管２１の間に位置する部位の全体が隠れるようになっている。つまり、鉛直方向と直交する平面に対し、鉛直方向に沿って第一リブ部２４、第二リブ部３３及び軸動作部５１のうち第一環状部２３及び本体管２１の間に位置する部位を投影したとき、第一リブ部２４及び第二リブ部３３の投影領域内に、軸動作部５１のうち第一環状部２３及び本体管２１の間に位置する部位の投影領域が全て収まることとなっている。
【００５１】
加えて、第一環状部２３の鉛直上方に第二環状部３２が配置されており、上方から見て（平面視したときに）、第二環状部３２、第二リブ部３３及び取付部材４（カバー部材４３）によって、第一環状部２３及び第一リブ部２４の全体が隠れるようになっている。
【００５２】
以上詳述したように、本実施形態によれば、第一リブ部２４の鉛直上方に第二リブ部３３が配置されるため、排水口部材３における通水部分と、配管２における通水部分とが鉛直方向に並んで配置される。従って、円滑な排水が行われることとなり、良好な排水能力を得ることができる。
【００５３】
また、上方から見たときに、第二リブ部３３によって第一リブ部２４の全体が隠れることとなり、浴槽１００の貯水空間側から第一リブ部３３が視認困難又は視認不能となる。そのため、非常にすっきりとした外観となり、優れた外観品質を実現することができる。
【００５４】
加えて、第二リブ部３３の存在により、第一リブ部２４に対する汚れの付着が生じにくくなる。従って、衛生性を高めることができるとともに、清掃性の向上や清掃頻度の低減を図ることができる。
【００５５】
さらに、軸動作部５１の鉛直上方に第一リブ部２４及び第二リブ部３３の少なくとも一方が配置され、軸動作部５１のうち第一環状部２３及び本体管２１の間に位置する部位の全体が第一リブ部２４及び第二リブ部３３の少なくとも一方によって隠れる。そのため、軸動作部５１による通水面積の減少を効果的に抑制することができる。その結果、良好な排水能力をより確実に確保することができるとともに、外観品質や衛生性等をより高めることができる。
【００５６】
また、本実施形態では、上方から見て、第二環状部３２、第二リブ部３３及び取付部材４によって、第一環状部２３及び第一リブ部２４の全体が隠れるため、浴槽１００の貯水空間側から見て、第一環状部２３及び第一リブ部２４が視認困難又は視認不能となる。従って、外観品質の更なる向上を図ることができる。
【００５７】
併せて、下向き凹部３３Ａに対し上向き突起部２４Ａが配置されるため、第二リブ部３３の鉛直上方に第一リブ部２４をより確実に、かつ、より容易に配置することができる。また、配管２に対し排水口部材３が相対回転してしまうことを防止でき、第二リブ部３３の鉛直上方からずれた位置に第一リブ部２４が配置されてしまうことをより確実に防止できる。従って、良好な排水能力や外観品質等をより長期間に亘ってより確実に維持することができる。
【００５８】
尚、上記実施形態の記載内容に限定されず、例えば次のように実施してもよい。勿論、以下において例示しない他の応用例、変更例も当然可能である。
【００５９】
（ａ）上記実施形態では、軸動作部５１の鉛直上方に第一リブ部２４及び第二リブ部３３が配置されており、上方から見て（平面視したとき）、第一リブ部２４及び第二リブ部３３によって軸動作部５１のうち少なくとも第一環状部２３及び本体管２１の間に位置する部位の全体が隠れるようになっている。これに対し、軸動作部５１の鉛直上方に第二リブ部３３のみが配置されるものとし、上方から見て、第二リブ部３３のみによって軸動作部５１のうち少なくとも第一環状部２３及び本体管２１の間に位置する部位の全体が隠れるように構成してもよい。
【００６０】
（ｂ）上記実施形態では、第一リブ部２４及び第二リブ部３３の位置合わせ等を図るべく、第一リブ部２４に上向き突起部２４Ａが設けられるとともに、第二リブ部３３に下向き凹部３３Ａが設けられ、下向き凹部３３Ａに対し上向き突起部２４Ａが配置されるように構成されている。これに対し、図８（ａ），（ｂ）に示すように、第一リブ部２４及び第二リブ部３３の位置合わせ等を図るべく、第一リブ部２４に、上方に向けて開口する上向き凹部２４Ｃを設けるとともに、第二リブ部３３に、下方に向けて突出する下向き突起部３３Ｃを設け、上向き凹部２４Ｃに対し下向き突起部３３Ｃを配置することとしてもよい。
【００６１】
また、図９（ａ），（ｂ）に示すように、第一リブ部２４に、上方に開口する上向き凹部２４Ｅを設けるとともに、第二リブ部３３に、下方に開口する下向き凹部３３Ｅを設け、上向き凹部２４Ｅ及び下向き凹部３３Ｅに配置されるとともに、第一リブ部２４及び第二リブ部３３間に介在する介在部３５を設けることとしてもよい。この場合には、槽体（上記実施形態では、浴槽１００）の厚さが種々異なる場合であっても、介在部３５の鉛直方向に沿った長さを調節しさえすれば、介在部３５を上向き凹部２４Ｅ及び下向き凹部３３Ｅに配置することができ、配管２に対し排水口部材３を相対回転不能とすることができる。従って、厚さの異なる種々の槽体に対応するために、複数種類の排水口部材３や配管２を用意するといった必要はなくなり、コストの抑制を図ることができる。尚、介在部は、例として図９に示すように板状をなす複数の部材により構成されてもよいし、前記板状の部材がリング状に連結されてなる一体部品により構成されていてもよい。
【００６２】
（ｃ）上記実施形態における第一リブ部２４や第二リブ部３３の数は例示であって、第一リブ部２４の数や第二リブ部３３の数は特に限定されるものではない。また、第一リブ部２４の数と第二リブ部３３の数とは必ずしも同数でなくてもよく、第二リブ部３３を第一リブ部２４よりも多くしてもよい。
【００６３】
（ｄ）上記実施形態では、上方から見て、第一リブ部２４や第二リブ部３３により、軸動作部５１のうち少なくとも第一環状部２３及び本体管２１の間に位置する部位の全体が隠れるように構成されているが、必ずしもこのように構成する必要はなく、上方から、軸動作部５１のうち第一環状部２３及び本体管２１の間に位置する部位が視認可能となっていてもよい。
【００６４】
（ｅ）上記実施形態では、上方から見て、第二環状部３２、第二リブ部３３及び取付部材４により、第一環状部２３及び第一リブ部２４の全体が隠れるように構成されているが、第一環状部２３の少なくとも一部が上方から視認可能となるように構成してもよい。
【００６５】
（ｆ）上記実施形態では、配管２に対し排水口部材３を取付ける際に、上向き突起部２４Ａの上面に対し第二環状部３２の下端面が載置された状態となり得るが、この点を利用して、上向き突起部２４Ａの高さなどを調節することで、上向き突起部２４Ａに対し第二環状部３２の下端面が載置された状態では、取付部材４の雄ねじ部４２Ａが雌ねじ部２３Ｂへと到達せず、雄ねじ部４２Ａを雌ねじ部２３Ｂへと螺合できないように構成してもよい。つまり、下向き凹部３３Ａに上向き突起部２４Ａが配置され、配管２及び排水口部材３が適切な相対位置となっている状態でのみ、配管２に対し排水口部材３が取付可能となるように構成してもよい。この場合には、上向き突起部２４Ａを下向き凹部３３Ａに対しより確実に配置することができる。
【００６６】
尚、第一リブ部２４に上向き凹部２４Ｃを設けるとともに、第二リブ部３３に下向き突起部３３Ｃを設け、上向き凹部２４Ｃに対し下向き突起部３３Ｃを配置されるように構成した場合〔図８（ａ），（ｂ）参照〕には、下向き突起部３３Ｃの高さなどを調節することで、上向き凹部２４Ｃに下向き突起部３３Ｃが配置されていないときに、下向き突起部３３Ｃの下面が第一環状部２３の上面に載置された状態となり、この状態では、取付部材４の雄ねじ部４２Ａが雌ねじ部２３Ｂへと到達せず、雄ねじ部４２Ａを雌ねじ部２３Ｂへと螺合できないように構成してもよい。この場合には、上向き凹部２４Ｃに対し下向き突起部３３Ｃをより確実に配置することができる。
【００６７】
（ｇ）上記実施形態において、本体管２１、第一環状部２３及び第一リブ部２４は一体形成されているが、これらの構成部材を別体で形成した上で組合わせることにより、本体管２１、第一環状部２３及び第一リブ部２４を一体化してもよい。例えば、本体管２１を構成する部材と、第一環状部２３及び第一リブ部２４を構成する部材とを別体で形成した上で、両構成部材を組合わせることにより、本体管２１、第一環状部２３及び第一リブ部２４を一体化してもよい。
【００６８】
また、筒状部３１、第二環状部３２及び第二リブ部３３についても同様に、これらの構成部材を別体で形成した上で組合わせることにより、筒状部３１、第二環状部３２及び第二リブ部３３を一体化してもよい。例えば、筒状部３１を構成する部材と、第二環状部３２及び第二リブ部３３を構成する部材とを別体で形成した上で、両構成部材を組合わせることにより、筒状部３１、第二環状部３２及び第二リブ部３３を一体化してもよい。
【００６９】
（ｈ）上記実施形態では、槽体として浴槽１００を例示しているが、本発明の技術思想を適用可能な槽体は浴槽に限定されるものではない。従って、例えば、洗面ボールや流し台などに対して、本発明の技術思想を適用することとしてもよい。
【００７０】
（ｉ）上記実施形態では、栓蓋７（パッキン部７２）が排水口部材３に接触することで排水口１０１を閉鎖するように構成されているが、栓蓋７（パッキン部７２）が浴槽１００に接触することで排水口１０１を閉鎖するように構成してもよい。
【符号の説明】
【００７１】
１…排水栓装置、２…配管、３…排水口部材、４…取付部材、６…支持軸、７…栓蓋、２３…第一環状部、２３Ａ…第一孔部、２４…第一リブ部、２４Ａ…上向き突起部、２４Ｃ，２４Ｅ…上向き凹部、３１…筒状部、３１Ａ…鍔部、３２…第二環状部、３２Ａ…第二孔部、３３…第二リブ部、３３Ａ，３３Ｅ…下向き凹部、３３Ｃ…上向き突起部、３５…介在部、５１…軸動作部、１００…浴槽（槽体）、１０１…排水口。
【図１】
2016108865.tif 000003
【図２】
2016108865.tif 000004
【図３】
2016108865.tif 000005
【図４】
2016108865.tif 000006
【図５】
2016108865.tif 000007
【図６】
2016108865.tif 000008
【図７】
2016108865.tif 000009
【図８】
2016108865.tif 000010
【図９】
2016108865.tif 000011